(57)【要約】      （修正有）【課題】吸気作用と臭空作用を達成する真空保存容器を提供する。【解決手段】真空保存容器は、容器筐体にスライドして出し入れする引出し２を具え、引出しの前蓋２２に設けたつまみ５１により駆動される駆動ギア５３、ギアドライブユニット６とゼンマイバネ５２を具え、駆動ギアとドライブユニットとのギア比によりつまみ５１を緩める回転操作に応じて吸気ピストン７２を駆動せしめる。つまみ５１を何度か回すと、ゼンマイバネ５２を動かして締まり、つまみ５１を緩めると、即透過駆動ギア５３がギアドライブユニット６を伝動して、吸気連桿７１及びそれに枢設した吸気ピストン７２を動かして数十回から数百回以上の往復動作を実施し、吸気作用と真空効果を達成する。【選択図】図４
0003204380.tif 000002
【実用新案登録請求の範囲】
【請求項１】
容器筐体と該容器筐体に収容される引出しから構成された真空保存容器において、
引出しをスライド挿入可能として、スイッチ制御機構を設置して引出しを閉鎖状態に係止し、また、開放して自動的に跳ね出し可能とし、
前記引出しは、前記容器筐体内にスライド挿入される引出し箱体及び該引出し箱体前側に連接する引出し前蓋を具え、
該引出し前蓋は、外面につまみを回転可能に枢設すると共にその軸心を該引出し前蓋に挿入して、1以上のゼンマイバネに連結し、更に駆動ギアを固定して該駆動ギアによりドライブユニットを介して偏心駆動輪に連動して該偏心駆動輪により該前蓋内部に設置した吸気ポンプを駆動する吸気連桿を駆動せしめるようにした、
ことを特徴とする真空保存容器。
【請求項２】
前記スイッチ制御機構は、前記容器筐体内に設けられた収納区画に、一端を容器筐体の相対する引出しの側壁に設けた係止溝に挿入係止もしくは退出して開放する係止凸を該係止溝に向けて進退可能に設置すると共に、
その他端には容器筐体側壁に向けて弾発力を有する弾性部品を設置し、
さらに、該係止凸には傾斜カム面を備えた連動溝を設けてスイッチの押し込み操作によって該連動溝を介して、前記係止凸を前記引き出しの係止溝に向けて進退させるようにし、
該スイッチは、前記前蓋外に露出して外部から押し込み操作可能なスイッチ部と容器筐体内方に延長する最上捍部を具え、該最上捍部を前記連動溝の傾斜カム面に当接させて、前記係止凸の進退操作を行うことにより、引出しの係止、開放を可能としたことを特徴とする請求項１記載の真空保存容器。
【請求項３】
前記跳ね出し機構は、前記容器筐体内部にラックギアを固定設置し、該引出しの後側に該ラックギアを噛み合うガイドギアを枢設すると共に該ガイドギアの軸心に跳ね出し操作を行う連動ゼンマイバネの一端を連接し、該連動ゼンマイバネの他端は引出し後側部位に固定して、引出しを筐体内に押し込む操作により、該ガイドギアはラックギアに沿って後ろに移動する動作に伴って該連動ゼンマイバネに引出しを外向きにスライドさせて跳ね出す弾発力を蓄えるようにしたことを特徴とする請求項１記載の真空保存容器。
【請求項４】
前記跳ね出し機構は、容器筐体内部にラックギアを固定設置し、引出しの後側には該ラックギアを噛み合うガイドギアを枢設し、
該跳ね出し機構は、一対の引張りバネを設けて、該一対の引張りバネの一端は、それぞれ引出しの引出し箱体の両側外部後端に固定すると共に他端を、それぞれ容器筐体の内部両側後端に固定してなり、
また、該引出しの引出し箱体は更に少なくとも一以上の異なる形態の内箱を設置してなることを特徴とする請求項１記載の真空保存容器。
【請求項５】
前記引出しの引出し前蓋は、内部側周辺縁に密封リングを設置し、更に該引出しの引出し前蓋を挿通して前記つまみの軸心を回転可能に枢設すると共に駆動ギアを固定し、該駆動ギアが伝動するギアドライブユニットは、該駆動ギアと噛み合わせる第一小ギアを設け、該第一小ギアと同軸に第一中ギアを設けて該第一中ギアは第二小ギアと噛み合わせ、該第二小ギアは同軸に第二中ギアを設けて該第二中ギアは第三中ギアと噛み合わせ、該第三中ギアは第四中ギアと噛み合わせて、
該第四中ギアには前記偏心駆動輪を同軸に設置したことを特徴とする請求項１記載の真空保存容器。
【考案の詳細な説明】
【技術分野】
【０００１】
本考案は、真空保存容器に関するもので、外部のつまみを使って内部の吸気構造を動かす関連技術領域に係る。
【背景技術】
【０００２】
公知技術には、機械式真空保存容器と、電子式真空保存容器がある。
【先行技術文献】
【特許文献】
【０００３】
【特許文献１】特許第５８２６８５９号公報
【考案の概要】
【考案が解決しようとする課題】
【０００４】
解決しようとする問題点として、従来の機械式真空保存容器はその内部の気体が外漏れした時、自動で気体を充填できない点であり、次に電子式真空保存容器は、その気体が外漏れした時、再度吸気操作をしなければならず、相当不便である点である。
【０００５】
本考案者は上述の問題点に鑑み、研究と改良を続け、本考案の真空保存容器を考案した。
【課題を解決するための手段】
【０００６】
本考案は、容器筐体、引出し等部品を含んで構成する。駆動ギア、ギアドライブユニットと少なくとも一ゼンマイバネによって回転効率の転換を達成し、つまみを何回か回すとゼンマイバネを動かして締まり、反対につまみを緩めると駆動ギアがギアドライブユニットを伝動して吸気連桿及びそこに枢設する吸気ピストンを動かすことを最も主要な特徴とする。
【考案の効果】
【０００７】
本考案の真空保存容器は、回転効率の転換を達成することで、吸気連桿及び吸気ピストンを動かし、数十回から数百回以上の往復動作を行い，吸気作用と真空効果を達成するという利点がある。
【図面の簡単な説明】
【０００８】
【図１】本考案実施例の外観立体図である。
【図２】本考案実施例の引出しを開けた後の外観立体図である。
【図３】本考案実施例の引出しを開けた後で且つ内箱の分解状態立体図である。
【図４】本考案実施例の引出しの引出し前蓋の後視平面指示図である。
【図５】本考案実施例の引出し的引出し前蓋の部分後視立体図である。
【図６】本考案実施例の引出しが開いた状態の立体指示図である。
【図７】本考案実施例の引出しが開いた状態の俯瞰平面指示図である。
【図８】本考案実施例の引出しが開いた状態の側視平面指示図である。
【図９】本考案実施例の引出しが開いた状態の側視断面指示図である。
【図１０】本考案実施例の引出しが開いた状態の別角度の部分断面拡大指示図である。
【図１１】本考案実施例の引出しが閉まった状態の立体分解図である。
【図１２】本考案実施例の引出しが閉まった状態の俯瞰平面指示図である。
【図１３】本考案実施例の引出しが閉まった状態の側視平面指示図である。
【図１４】本考案実施例の引出しが閉まった状態の側視断面指示図である。
【図１５】本考案実施例の引出しが閉まった状態の別角度部分断面拡大指示図である。
【図１６】本考案実施例の跳ね連動ゼンマイバネが未設置であるが、一対の引張りバネを設置した引出しが開いた状態の立体指示図である。
【図１７】本考案実施例の跳ね連動ゼンマイバネが未設置であるが、一対の引張りバネを設置した引出しが開いた状態の俯瞰平面指示図である。
【図１８】本考案実施例の跳ね連動ゼンマイバネが未設置であるが、一対の引張りバネを設置した引出しが開いた状態の部分断面指示図である。
【図１９】本考案実施例の跳ね連動ゼンマイバネが未設置であるが、一対の引張りバネを設置した引出しが閉まった状態の立体指示図である。
【図２０】本考案実施例の跳ね連動ゼンマイバネが未設置であるが、一対の引張りバネを設置した引出しが閉まった状態の俯瞰平面指示図である。
【考案を実施するための形態】
【０００９】
駆動ギア、ギアドライブユニットと少なくとも一ゼンマイバネによって、回転効率の転換が達成され、つまみを何回か回転すると、ゼンマイバネを動かして締まり、反対につまみを緩めると駆動ギアがギアドライブユニットを伝動して吸気連桿及びそこに枢設する吸気ピストンを動かして数十回から数百回以上の往復動作を行い，吸気作用と真空効果を達成する真空保存容器を提供することを本考案の主な目的とする。
【００１０】
内部圧力と増幅したゼンマイバネのトーションが平衡した時、容器筐体内部が一定の真空状態を達成する他，ゼンマイバネは予圧状態を維持し，たとえ万一気体がわずか外漏れしても，ゼンマイバネとギアドライブユニットの予圧力が内部の真空度を維持する。拠って、本考案は公知の電子式真空保存容器気体外漏れした時に改めて吸気する必要があることや、もしくは自動的に吸気できない公知の機械式真空保存容器より優れた真空保存容器を提供することを本考案の次の目的とする。
【００１１】
スイッチ制御機構を押すと、容器筐体から圧力が漏れ、引出しは跳ね出し機構の弾力によって自動的に滑り出て開くので、操作が便利で且つ物品を取り出しやすい真空保存容器を提供することを本考案の更に別の目的とする。
【００１２】
引出しは分離式で且つ異なる形式の内箱を設置してもよく、内箱は洗いやすい真空保存容器を提供することを本考案の更に別の目的とする。
【００１３】
箱を重ねて使用することができ、重ねても同様に物品を取り出すことに不便はない真空保存容器を提供することを本考案の更に別の目的とする。
【実施例】
【００１４】
図１〜図１５に示すとおり、本考案の真空保存容器は以下の構成からなる。
【００１５】
容器筐体１は、スライドして挿入して閉めたり、バネにより跳ね出して開けたりする引出し２を具える。
該容器本体１は、スイッチ制御機構３を設置して引出し２をスライドして入れたり、引出し２を跳ね出し機構Ａ(図６〜図９、図１１〜図１４参照)によって自動的に跳ね開けることが出来る。
【００１６】
引出し２は、該容器筐体１内にスライドして挿入される引出し箱体２１(図２、図３参照)及び該引出し箱体２前側に連接する引出し前蓋２２を具える。
該引出し前蓋２２は、引出し前蓋２２外面につまみ５１を回転可能に枢設し、該つまみ５１の軸心５１１(図４参照)を内方に向けて引出し前蓋２２に挿入し、引出し前蓋２２に設置した少なくとも一つのゼンマイバネ５２(図４、図５参照)を駆動する。
更に、該つまみ５１の軸心５１１は他に、駆動ギア５３を固定設置し、該駆動ギア５３はギアドライブユニット６を伝動する。該ギアドライブユニットは、偏心駆動輪６０を伝動して該引出し前蓋２２内部の吸気ポンプ７に設置した吸気連桿７１を偏心駆動する。
該吸気連桿７１の内方側は、吸気ポンプ７に設置した吸気ピストン７２と枢設する。これらによって、該つまみ５１を何度か回すと、ゼンマイバネ５２を動かして締まり、つまみ５１を緩めると、即透過駆動ギア５３がギアドライブユニット６を伝動して、吸気連桿７１及びそれに枢設した吸気ピストン７２を動かして数十回から数百回以上の往復動作を実施し、吸気作用と真空効果を達成する。
また、内部圧力が増幅したゼンマイバネ５２のトーションが平衡を達成すると、容器筐体１内部は一定程度の真空度を達成する他に、ゼンマイバネ５２は、予圧状態を維持し、仮に万一、気体が僅かに外漏れしても、ゼンマイバネ５２とギアドライブユニット６の予圧力が内部真空度を維持し、これらによって、本考案は公知の電子式真空保存容器の気体が外漏れした時に再び吸気稼働しなければならなかったり、もしくは自動的に吸気できない公知の機械式真空保存容器製品を改善する。
【００１７】
前記スイッチ制御機構３(図６、図１０、図１１、図１５参照)は以下を含む。
【００１８】
係止凸３１(図１０、図１５参照)は、容器筐体１に形成した収納区画１１に可動設置し、該係止凸３１の一端３１１は弾性部品３２を押圧し、該係止凸３１の他端３１２は前記収納区画１１を通過して引出し２の相対する側壁２６を係止もしくは退去するのに用い、該係止凸３１は連動溝３１３を形成してスイッチ３３と連動する。
【００１９】
弾性部品３２は、容器筐体１の収納区画１１に設置して係止凸３１を押圧して係止凸３１に圧力を与え、該弾性部品３２の他端は容器筺体１の収納区画１１の相互に隣接する内壁面１１０(図１０参照)を押圧する。 
【００２０】
スイッチ３３は、容器筐体１前側に形成した定位槽１２(図１０、図１５参照)に可動設置し、押すためのスイッチ部３３１(図１０、図１５参照)及び該スイッチ部３３１後側に連接する最上捍部３３２を有し、該スイッチ３３が押されると、該最上捍部３３２が前記係止凸３１の連動溝３１３に挿入されて、係止凸３１を連動して該係止凸３１の他端３１２が引出し２を係止できなくする（図１５参照）。
【００２１】
更に、該スイッチ制御機構３の係止凸３１の他端３１２は、容器筐体１の相対した側壁２６に対応形成した係止溝２６１(図１５参照) に挿入係止(図１５参照)もしくは退去(図１０参照)することで係止効果を更に向上させる。
【００２２】
他に、前述の跳ね出し機構Ａは、容器筐体１内部にラックギア１３を固定設置し、引出し２の後側(図６〜図９、図１１〜図１４参照)にはガイドギア２３を枢設する。該ガイドギア２３と該ラックギア１３を噛み合わせ、且つ該ガイドギア２３の軸心は他に跳ね連動ゼンマイバネ２４の一端と連接する。該跳ね連動ゼンマイバネ２４の他端は、引出し２後側の適切な部位に固定し、引出し２を容器筐体１内に押し込んで戻した時、該ガイドギア２３はラックギア１３の後方へ移動するのに伴って該跳ね連動ゼンマイバネ２４をしっかりと係合され、引出し２が外側に跳ね出す反発力を蓄える。
【００２３】
また、前記跳ね出し機構Ａのうちの跳ね連動ゼンマイバネ２４に替えて、図１６〜図２０に示すとおり、一対の引張りバネ２５に変更して設置してもよい。  該一対の引張りバネ２５の一端２５１(図１８、図１９参照)は、それぞれ引出し２の引出し箱体２１両側外部後端に固定し、該一対の引張りバネ２５の他端２５２(図１８、図１９参照)は、それぞれ容器筐体１の両側内部後端に固定し、引出し２がスイッチ制御機構３に係止されていない時には一対の引張りバネ２５の弾力で外向きに自動で弾き出し、同様に引出し２が自動で滑り出て開く。この場合も、引出し２をガイドするために引出し２にガイドギア２３を枢設し、容器筐体１にはガイドギア２３と噛み合わせるラックギア１３を設置する。
【００２４】
他に、該引出し２の引出し前蓋２２内の周辺縁には密封リング２２１(図２〜図４参照)を設置することにより、引出し２が容器筐体１内に挿入された状態で気密効果を備える。
【００２５】
更に、前記引出し２の引出し前蓋２２に枢設するつまみ５１の軸心５１１に固定する駆動ギア５３が伝動するギアドライブユニット６は、第一小ギア６１(図４、図５参照)を具え、それは該駆動ギア５３と噛み合う。該第一小ギア６１は第一中ギア６２を同軸設置し、該第一中ギア６２は第二小ギア６３と噛み合わせ、該第二小ギア６３は第二中ギア６４を同軸設置し、該第二中ギア６４は第三中ギア６５を噛み合わせ、該第三中ギア６５は第四中ギア６６を噛み合わせ、該第四中ギア６６は前述の偏心駆動輪６０を同軸設置する。
【００２６】
他に、前述の引出し２の引出し箱体２１は更に、異なる形式の少なくとも一つの内箱２１０を収容し、該内箱２１０は引出し箱体２１と分離式であるため洗浄に便利である。
【００２７】
前述の部品を組み立てることによって、つまみ５１は何回か回すことでゼンマイバネ５２を動かして締め付ける。反対に、つまみ５１を緩めると駆動ギア５３がギアドライブユニット６を伝動することによって吸気連桿７１及びそこに枢設する吸気ピストン７２を駆動して数十回から数百回以上の往復動作を行い、吸気作用と真空効果を達成する。また、内部圧力と増幅したゼンマイバネ５２のトーションが平衡した時、容器筐体１内部が一定の真空状態を達成する他、ゼンマイバネ５２は予圧状態を維持し、たとえ万一気体がわずか外漏れしてもゼンマイバネ５２とギアドライブユニット６の予圧力が内部の真空度を維持する。
以上から、本考案は公知の電子式真空保存容器が気体の外漏れした時改めて吸気始動するか、もしくは自動的に吸気できない公知の機械式真空保存容器製品よりも明らかに優れる。また、スイッチ制御機構３のスイッチ部３３１が押されると、最上捍部３３２後側から係止凸３１の連動溝３１３へ進入し、係止凸３１を連動し、係止凸３１他端３１２は引出し２に相対する側壁２６の係止溝２６１から退き(図１０参照)、更に引出し２は跳ね出し機構Ａの弾力によって外向きに自動的に滑り出て開く。また、引出し２が押し戻されると、跳ね出し機構Ａのガイドギア２３の軸心は同時に跳ね連動ゼンマイバネ２４(仮に跳ね連動ゼンマイバネ２４を設置しない場合は前述の一対の引張りバネ２５によって自動開きの弾力を提供する)を締め付ける。引出し２が定位置へ押し込まれて、引出し２が閉まると、引出し２に相対する側壁２６の係止溝２６１によって係止凸３１の他端３１２が係止される(図１５参照)。これらの構成によって、引出し２はこの時、自動で弾き出されない。但し、前記スイッチ制御機構３のスイッチ部３３１が押された時を除く。この他、前述の説明において、提起した一対の引張りバネ２５が引出し２後方に押し戻された時、一対の引張りバネ２５は同時に引っ張られ、引出し２が定位置に押し戻されて閉まった時、同時に該引出し２の相対する側壁２６の係止溝２６１は係止凸３１の他端３１２の係止を受け、それによって、引出し２はその時、自動で弾き出されない。但し、前記スイッチ制御機構３のスイッチ部３３１が押された時を除く。
【００２８】
上述のとおりの構成により、本考案は、以下の効果を備える。
【００２９】
駆動ギア５３、ギアドライブユニット６と少なくとも一つのゼンマイバネ５２によって、回転効率の転換を達成する。つまみ５１を何回か回転させると、ゼンマイバネ５２を動かしてきつく締まり、逆につまみ５１を緩めると、駆動ギア５３によって、ギアドライブユニット６を伝動し、吸気連桿７１及びそれに枢設した吸気ピストン７２を動かして数十回から数百回以上の往復動作を行い、吸気作用と真空効果を達成する。
【００３０】
内部圧力と増幅したゼンマイバネ５２のトーションが平衡した時、容器筐体１内部が一定の真空状態を達成する他、ゼンマイバネ５２は予圧状態を維持し、たとえ万一気体がわずか外漏れしてもゼンマイバネ５２とギアドライブユニット６の予圧力が内部の真空度を維持する。
以上から、本考案は公知の電子式真空保存容器が気体の外漏れした時改めて吸気始動するか、もしくは自動的に吸気できない公知の機械式真空保存容器製品よりも明らかに優れる。
【００３１】
スイッチ制御機構３を押した時、容器筐体１は圧力が漏れ、且つ引出し２は跳ね出し機構Ａの弾力によって自動で滑り出て開き、操作が便利で且つ物品を取り出しやすい。
【００３２】
引出し２は、分離式で且つ異なる形式の内箱２０１を設置することにより、内箱２０１は洗いやすい。
【００３３】
また、これらを複数組重ねて使用しやすく、且つ重ねても、同様に物品は取り出しやすい。
【符号の説明】
【００３４】
１        容器筐体
１１        収納区画
１１０        内壁面
１２        定位槽
１３        ラックギア
２        引出し
２１        引出し箱体
２１０        内箱
２２        引出し前蓋
２２１        密封リング
２３        ガイドギア
２４        跳ね連動ゼンマイバネ
２５        引張バネ
２５１        一端
２５２        他端
２６        側壁
２６１        係止溝
３        スイッチ制御機構
３１        係止凸
３１１        一端
３１２        他端
３１３        連動溝
３２        弾性部品
３３        スイッチ
３３１        スイッチ部
３３２        最上捍部
５１        つまみ
５１１        軸心
５２        ゼンマイバネ
５３        駆動ギア
６        ギアドライブユニット
６０        偏心駆動輪
６１        第一小ギア
６２        第一中ギア
６３        第二小ギア
６４        第二中ギア
６５        第三中ギア
６６        第四中ギア
７        吸気ポンプ
７１        吸気連桿
７２        吸気ピストン
Ａ        跳ね出し機構
【図１】
0003204380.tif 000003
【図２】
0003204380.tif 000004
【図３】
0003204380.tif 000005
【図４】
0003204380.tif 000006
【図５】
0003204380.tif 000007
【図６】
0003204380.tif 000008
【図７】
0003204380.tif 000009
【図８】
0003204380.tif 000010
【図９】
0003204380.tif 000011
【図１０】
0003204380.tif 000012
【図１１】
0003204380.tif 000013
【図１２】
0003204380.tif 000014
【図１３】
0003204380.tif 000015
【図１４】
0003204380.tif 000016
【図１５】
0003204380.tif 000017
【図１６】
0003204380.tif 000018
【図１７】
0003204380.tif 000019
【図１８】
0003204380.tif 000020
【図１９】
0003204380.tif 000021
【図２０】
0003204380.tif 000022
【手続補正書】
【提出日】平成28年3月14日(2016.3.14)
【手続補正１】
【補正対象書類名】実用新案登録請求の範囲
【補正対象項目名】請求項１
【補正方法】変更
【補正の内容】
【請求項１】
容器筐体と該容器筐体に収容される引出しから構成された真空保存容器において、
引出しをスライド挿入可能として、スイッチ制御機構を設置して引出しを閉鎖状態に係止し、また、開放可能とすると共に解放時に自動的に該引出を跳ね出す跳ね出し機構を設け、
前記引出しは、前記容器筐体内にスライド挿入される引出し箱体及び該引出し箱体前側に連接する引出し前蓋を具え、
該引出し前蓋は、外面につまみを回転可能に枢設すると共にその軸心を該引出し前蓋に挿入して、1以上のゼンマイバネに連結し、更に駆動ギアを固定して該駆動ギアによりドライブユニットを介して偏心駆動輪に連動して該偏心駆動輪により該前蓋内部に設置した吸気ポンプを駆動する吸気連桿を駆動せしめるようにした、
ことを特徴とする真空保存容器。